(57)【要約】【課題】  褥瘡等を予防するための体位保持パッドとして、汗や排泄物や体液や汚物等が内部に浸透して不衛生な状態になるのを防止し、これらが表面に付着しても容易に拭き取って消毒できるようにし、また、体圧分散効果が損なわれることなく、しかも位置ずれを生じにくくする。【解決手段】  褥瘡予防用の体位保持パッド１として、軟質ウレタンフォーム２の周囲全域をウレタンフィルム３によって覆い、パッド１の側面のウレタンフィルム３に少なくとも１つの穴４を形成することで、体圧分散性が損なわれないようにする。また、平坦面部５と湾曲面部６を設け、湾曲面部６が平坦面部５に連なる第１のアール部ｒ１と第２のアール部ｒ２の曲率半径を異ならせる。【選択図】      図１
2005052460.tif 000002
【特許請求の範囲】
【請求項１】
軟質ウレタンフォームの周囲全域がウレタンフィルムによって覆われているパッドであって、該パッドの側面のウレタンフィルムには、少なくとも１つの穴が形成されていることを特徴とする体位保持パッド。
【請求項２】
前記軟質ウレタンフォームは、輪郭部が平坦な平坦面部と、輪郭部が湾曲する湾曲面部を備え、この湾曲面部の一端側は、曲率半径の小さい第１のアール部を介して前記平坦面部の一端側に連なるとともに、この湾曲面部の他端側は、前記第１のアール部より曲率半径の大きい第２のアール部を介して前記平坦面部の他端側に連なることを特徴とする請求項１に記載の体位保持パッド。
【発明の詳細な説明】
【技術分野】
【０００１】
本発明は、例えば寝たきり者のように自力で身体を動かすことのできない人が、疾患状態や身体状況等に合わせて適切な姿勢をとるための体位保持パッドに関する。
【背景技術】
【０００２】
従来、例えば寝たきり者等の自力で身体を動かすことのできない人が褥瘡（床擦れ）等の二次障害や合併症になるのを予防するため、適切な姿勢や安楽な姿勢を取ることができるようにした技術として、例えば略直角三角形状のウレタン樹脂等のブロックの角部を切除した体位保持パッドを設け、角部を背中や臀部等に挿入することで、姿勢を変化させるようにした技術（例えば、特許文献１参照。）や、ウレタン等の山形弾力体の上部中央に突部体を着脱自在に設け、山形弾力体の下方に円座用の切り込みを設けることで、両膝を立てた状態で保持できるようにするとともに、背中にも挿入可能にした技術（例えば、特許文献２参照。）等が知られている。
また、身体の胴体部分のみならず、足や腕を挿入可能にした技術として、足が挿入可能な円筒状の発泡樹脂製のパッドと、腕が挿入可能な円筒状の発泡樹脂製のパッドと、中実状の円柱パッドをセットとして一体化し、場所に合わせて数個のパッドを組合わせて使用するような技術（例えば、特許文献３参照。）も知られている。
【０００３】
【特許文献１】特開２００２−１４３２３３号公報
【特許文献２】特開２００２−２８１９３号公報
【特許文献３】特開２００１−２９９８０６号公報
【発明の開示】
【発明が解決しようとする課題】
【０００４】
ところが、上記のような体位保持パッドは、汗や排泄物や体液や汚物等がパッド内部に浸透して不衛生になったりしやすく、また身体荷重によって位置ずれしやすい等の問題があった。
一方、体位保持パッドの周囲を防水性のフィルム等で覆うと、汗等が内部に浸透するような不具合を防止でき、しかも、汚物等が付着しても、アルコールで表面を清拭すれば、消毒が簡単に行えるという利点があるものの、内部の空気が封止されて、空気の反発力により体圧分散効果が損なわれるという問題があった。
【０００５】
そこで本発明は、体圧分散効果が損なわれることなく、また、汗や排泄物や体液や汚物等が内部に浸透して不衛生な状態になるのを防止するとともに、これらが表面に付着しても容易に拭き取って消毒できるようにし、しかも位置ずれを生じにくくすることを目的とする。
【課題を解決するための手段】
【０００６】
上記目的を達成するため本発明は、軟質ウレタンフォームの周囲全域がウレタンフィルムによって覆われるパッドにおいて、該パッドの側面のウレタンフィルムに、少なくとも１つの穴を形成するようにした。
【０００７】
そして、軟質ウレタンフォームの周囲をウレタンフィルムで覆うことにより、汗や排泄物や体液や汚物等がマットレス内部に浸透するのが防止され、また、汚物等が付着した場合でもアルコール液等で簡単に拭き取ることができる。
この際、ウレタンフィルムとしては、例えば厚み３０〜１００μｍ程度が好ましく、接着または溶着等によって覆うようにする。そして、一般的にウレタンフィルムは滑りにくい特性を有しているため、位置ずれが起きにくくなる。
【０００８】
また、周囲全域をウレタンフィルムで覆うと、内部の空気が封止され、荷重をかけた際に空気の反発力によって体圧分散性が損なわれる傾向になるが、フィルムの一部に穴を空けて空気が出入りできるようにすれば、軟質ウレタンフォームが体型に合った形状に変化するようになり、体圧分散性が保持される。
ここで、軟質ウレタンフォームの硬さとしては、６０〜１３０Ｎ程度が好ましい。６０Ｎ未満であると形状保持ができず、１３０Ｎを超えると、クッション性を損なうからである。
【０００９】
また本発明では、前記軟質ウレタンフォームとして、輪郭部が平坦な平坦面部と、輪郭部が湾曲する湾曲面部を設け、この湾曲面部の一端側を、曲率半径の小さい第１のアール部を介して平坦面部の一端側に連ならせるとともに、湾曲面部の他端側を、第１のアール部より曲率半径の大きい第２のアール部を介して平坦面部の他端側に連ならせるようにした。
そして、使用者の体型や使用する部位に合わせてフィット感が得られるよう、平坦面部または湾曲面部のいずれかが体に当接するよう向きを適切に選択すれば、安楽で且つ安定した姿勢で身体が保持される。
また、体位保持パッドを身体の下方に挿入する際、第１のアール部側から挿入するか、第２のアール部側を挿入するかを自由に選定することができ、例えば、曲率半径の小さい第１のアール部側は、仰臥姿勢における臀部や、横臥位における背中等への挿入が容易であり、曲率半径の大きい第２のアール部側は、身体と床との隙間が大きい部位に挿入するのに都合がよい。
【発明の効果】
【００１０】
軟質ウレタンフォームの周囲全域をウレタンフィルムによって覆うことにより、汗や排泄物や体液や汚物等がパッド内部に浸透するのが防止され、また、汚物等が付着した場合でもアルコール液等で簡単に拭き取ることができる。
また、ウレタンフィルムの防滑効果により位置ずれが起きにくくなる。
また、フィルムに穴を形成することによって空気が出入りできるようになり、体圧分散性が保持される。
【００１１】
この際、軟質ウレタンフォームとして、輪郭部が平坦な平坦面部と、輪郭部が湾曲する湾曲面部を設け、使用者の体型や使用する部位に合わせて湾曲面部または平坦面部のいずれかが体に当接するよう向きを変えてポジショニングすることにより、安楽な姿勢でより安定した状態で使用できる。
また、左右端部の曲率半径を異ならせることにより、身体の下方に挿入する部位に合わせて自由に挿入方向を選定できるようになり、挿入が容易になるとともに、フィット感を高めることができる。
【発明を実施するための最良の形態】
【００１２】
本発明の実施の形態について添付した図面に基づき説明する。
ここで図１乃至図３は本発明に係る体位保持パッドの各種構成例の説明図で（ａ）は斜視図、（ｂ）は縦断面図、図４は使用状態の説明図である。
【００１３】
本発明に係る体位保持パッドは、汗や排泄物や体液や汚物等がパッド内部に浸透して不衛生な状態になるのを防止するとともに、これらが表面に付着しても容易に拭き取って消毒できるようにし、また、体圧分散効果が損なわれることなく、しかも位置ずれが生じにくいようにされている。
【００１４】
すなわち、図１乃至図３に示すように、本体位保持パッド１Ａ〜１Ｃは、基本的に軟質ウレタンフォーム２の周囲にウレタンフィルム３が被覆され、このウレタンフィルム３の片側側面部に穴４が明けられた構造であり、寝たきり者等に対してポジショニングを容易にするとともに、適用部位にフィットさせるため各種形状を取り揃えている。
以下、全ての体位保持パッド１Ａ〜１Ｃに共通する事項から説明する。
【００１５】
軟質ウレタンフォーム２は、身体とベッド等の間に挿入して所定部位にポジショニングした際、実質的に身体荷重を受けて支えるクッション材であり、適度な硬さの素材にして体圧分散効果を高める必要がある。この際、硬さ６０Ｎ以下では形状保持に問題が生じるため、硬さが普通からやや硬めの７０〜１３０Ｎのものを使用するようにしている。
ここで、硬さ測定は、ＪＩＳ  Ｋ  ６４０１に準拠した方法の測定であり、具体的には、５Ｎ荷重時の厚みを元厚として、７５％圧縮後、再度元厚の２５％まで圧縮し、２０秒後の荷重を測定したものである。
【００１６】
この軟質ウレタンフォーム２の周囲を被覆するウレタンフィルム３は、厚み３０〜１００μｍであり、非透水性であるが、透湿性を有するものとしている。そして、このようなウレタンフィルム３は、接着剤による接着、または熱溶着等によって軟質ウレタンフォーム２の表面全域を覆うようにしており、失禁等の汚物や、体液や、汗等が内部に浸透しないようにされている。
そして、このウレタンフィルム３のうち、側面部には、通気用の穴４が明けられ、鳩目のような樹脂製リングｈが補強用に取り付けられている。
【００１７】
このため、ウレタンフィルム３を通して汚物やバイ菌等が内部に浸透するのが抑制され、また、表面が汚れた場合でもアルコール液等で拭くだけで簡単に消毒することができ、また、身体の下方にポジショニングした場合でも、穴４を通して内部の空気が排出され、軟質ウレタンフォーム２の体圧分散性を損なうことがない。
更に、ウレタンフィルム３の防滑効果により、体位保持パッド１Ａ〜１Ｃが位置ずれしにくく、例えば仰臥姿勢の状態でベッドを背上げした場合でも位置ずれがないため、安楽に座位姿勢を取ることができ、また尻部（仙骨部）への応力集中を防ぐことができる。
次に、各形態の体位保持パッド１Ａ〜１Ｃの形状の特徴等を順次図１から説明する。
【００１８】
図１に示す体位保持パッド１Ａは、図１（ｂ）に示すように、輪郭部が平坦な平坦面部５と、輪郭部が湾曲する湾曲面部６を備えており、湾曲面部６の一端側は、曲率半径の小さい第１のアール部ｒ１を介して平坦面部５の一端側に接続されるとともに、湾曲面部６の他端側は、第１のアール部ｒ１より大きい曲率半径の第２のアール部ｒ２を介して平坦面部５の他端側に接続されている。
【００１９】
そして、湾曲面部６は、第１のアール部ｒ１と第２のアール部ｒ２を結ぶ方向にだけ湾曲しており、実施例の場合、第１のアール部ｒ１の曲率半径を５ｍｍ程度、第２のアール部ｒ２の曲率半径を５０〜５５ｍｍ程度にするとともに、第１のアール部ｒ１と第２のアール部ｒ２の中間の曲率半径ｒ３を１３０〜１６０ｍｍ程度とし、また、第１のアール部ｒ１と第２のアール部ｒ２の張り出し端部を結ぶ方向の長さｘを２７０〜２８０ｍｍ程度に、また、高さｚを１４０ｍｍ程度にしている。
また、図１（ａ）に示す平坦面部５の長手方向の長さｙを４５０〜４８０ｍｍ程度としている。
【００２０】
そして、図１に示すような体位保持パッド１Ａは、例えば、第１のアール部ｒ１側が、仰臥姿勢における臀部や、横臥位における背中部への挿入及びポジショニングが容易でその後のフィット感も良好であり、第２のアール部ｒ２側が、曲率の大きいアール形状のため、体と床面の隙間の大きい部位への挿入が容易でその後のフィット感も良好である。
また、平坦面部５で身体を保持するか、湾曲面部６で身体を保持するか、使用者の体型や部位等に応じて自由に選定することができる。
【００２１】
次に、図２に示す体位保持パッド１Ｂは、図２（ｂ）に示すように、平坦面部５と湾曲面部６を備えるとともに、湾曲面部６の一端側は、アール部を介さないで、直接平坦面部５の一端側に接続されるとともに、湾曲面部６の他端側も、アール部を介さないで、直接平坦面部５の他端側に接続されて左右対称形とされている。
そして、湾曲面部６と平坦面部５の接続角αは６０度程度とされ、湾曲面部６の中間付近の曲率半径ｒ４は９０〜９５ｍｍ程度とされている。
また、図２（ｂ）の長さｘを２００〜２２０ｍｍ程度とし、高さｚを１００ｍｍ程度にするとともに、図２（ａ）に示す平坦面部５の長手方向の長さｙを４００〜４３０ｍｍ程度にしている。
【００２２】
次に、図３に示す体位保持パッド１Ｃは、図３（ｂ）に示すように、平坦面部５と湾曲面部６を備えるとともに、湾曲面部６の一端側は、曲率半径が比較的大きい第４のアール部ｒ５を介して平坦面部５の一端側に接続されるとともに、湾曲面部６の他端側も、第４のアール部ｒ５を介して平坦面部５の他端側に接続されて左右対称形とされている。
【００２３】
そして、第４のアール部ｒ５の曲率半径は、実施例では６０〜７０ｍｍ程度とされ、湾曲面部６の中間付近の曲率半径ｒ６は１６０〜１７０ｍｍ程度とされている。
また、図３（ｂ）の長さｘを２９０〜３００ｍｍ程度とし、高さｚを１７０〜１８０ｍｍ程度にするとともに、図３（ａ）に示す平坦面部５の長手方向の長さｙを５００〜５３０ｍｍ程度にしている。
【００２４】
以上のような体位保持パッド１Ａ〜１Ｃの使用の一例は、図４に示す通りであり、例えば図４（ａ）に示すように、仰臥姿勢において、体位保持パッド１Ａの平坦面部５を上向きにして臀部の下方に挿入すると同時に、他の体位保持パッド１Ｂ（または１Ｃ）の平坦面部５を上向きにして足の下方に入れることにより、足を水平に保持するようにしても良く、図４（ｂ）に示すように、仰臥姿勢において体位保持パッド１Ａの平坦面部５を下向きにして臀部の下方に挿入するようにしても良く、図４（ｃ）に示すように、体位保持パッドＩＡ（または１Ｂまたは１Ｃ）の平坦面部５を上向きにして足の下方に入れることで、足を水平に保持するようにして良く、図４（ｄ）に示すように、横臥位において、体位保持パッド１Ａ（または１Ｂまたは１Ｃ）を一方側の背中の下方に挿入しても良い。
【００２５】
そして、上記のような使用において、本体位保持パッド１Ａ〜１Ｃを使用することにより、褥瘡予防が図られるとともに、ウレタンフィルム３によって、汗や排泄物や体液や汚物等がパッド２内部に浸透するのが防止され、また、汚物等が付着した場合でもアルコール液等で簡単に拭き取ることができ、しかも、ウレタンフィルム３の防滑効果により位置ずれが起きにくい。
また、ウレタンフィルム３に形成した穴４によって空気が出入りできるようになり、体圧分散性が保持され、しかも、輪郭部が平坦な平坦面部５と、輪郭部が湾曲する湾曲面部６を設けているため、使用者の体型や使用する部位に合わせて自由に向きを変えてポジショニングすることにより、安楽な姿勢でより安定した状態で使用できる。
この際、左右端部の曲率半径を異ならせた体位保持パッド１Ａは、いろいろな部位に広い範囲で対応させることができる。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
例えばウレタンフィルム３に形成する穴４の位置や樹脂製リングｈの有無等は任意であり、また、ウレタンフィルム３に抗菌性を付与するようにしても良い。
【産業上の利用可能性】
【００２７】
褥瘡予防のための体位保持パッドとして、軟質ウレタンフォームの周囲全域をウレタンフィルムで覆うとともに、パッドの側面のウレタンフィルムに少なくとも１つの穴を形成することで、汗や排泄物や体液や汚物等がパッド内部に浸透するのが抑制され、また、汚物等が付着した場合でもアルコール液等で簡単に拭き取ることができ、体圧分散性を保持することができる。また、ウレタンフィルムの防滑効果により位置ずれが起きにくい。この際、平坦面部と湾曲面部を設けることにより、使用者の体型や使用する部位に合わせて安楽な姿勢で使用でき、また、左右端部の曲率半径を異ならせることで、挿入をより容易にできると同時に、フィット感を高めることができる。
【図面の簡単な説明】
【００２８】
【図１】体位保持パッドの構成例を示す説明図で（ａ）は斜視図、（ｂ）は断面図
【図２】体位保持パッドの別の構成例を示す説明図で（ａ）は斜視図、（ｂ）は断面図
【図３】体位保持パッドの更に別の構成例を示す説明図で（ａ）は斜視図、（ｂ）は断面図
【図４】使用状態の説明図
【符号の説明】
【００２９】
１…体位保持パッド、２…軟質ウレタンフォーム、３…ウレタンフィルム、４…穴、５…平坦面部、６…湾曲面部、ｒ１…第１のアール部、ｒ２…第２のアール部。
【図１】
2005052460.tif 000003
【図２】
2005052460.tif 000004
【図３】
2005052460.tif 000005
【図４】
2005052460.tif 000006